(57)【要約】【課題】操作レバーの牽曳を阻止するアームに可橈性をもたせることで該アームを通して伝達される外力に起因した噴射ノズルの浮き上がりや脱落を確実に防止する。【解決手段】操作レバー（１）を繰返し牽曳して容器内の液体を吸引、加圧するポンプを備えたボディ（２）と、このボディ（２）の先端に回動可能に保持され該ボディ（２）の送給経路を経て圧送された液体を外界へ向けて噴射する噴射ノズル（３）と、この噴射ノズル（３）をその軸心（Ｌ）の周りに回動させてノズル開口を開状態又は閉状態に切り替えるとともに該ノズル開口の閉状態で操作レバー（１）の牽曳を阻止するアーム（４ｂ）とを備えたトリガー式液体噴出器において、前記アーム（４ｂ）を、ノズル開口の閉状態で操作レバー（１）の前面に位置してその牽曳を阻止するが、該操作レバー（１）の強制的な牽曳動作を誘導する力に追随可能な可撓性に富むアーム（４ｂ）にて構成する。【選択図】図１
2005087859.tif 000002
【特許請求の範囲】
【請求項１】
操作レバーを繰返し牽曳して容器内の液体を吸引、加圧するポンプを備えたボディと、このボディの先端に回動可能に保持され該ボディの送給経路を経て圧送された液体を外界へ向けて噴射する噴射ノズルと、この噴射ノズルをその軸心の周りに回動させてノズル開口を開状態又は閉状態に切り替えるとともに該ノズル開口の閉状態で操作レバーの牽曳を阻止するアームとを備えたトリガー式液体噴出器であって、
前記アームは、ノズル開口の閉状態で操作レバーの前面に位置してその牽曳を阻止するが、該操作レバーの強制的な牽曳動作を誘導する外力に追随可能なアームであることを特徴とするトリガー式液体噴出器。
【請求項２】
前記アームが、噴射ノズルと一体に連結する請求項１記載のトリガー式液体噴出器。
【請求項３】
前記アームが、噴射ノズルの外周面に嵌合するカバー本体に一体に連結する請求項１記載のトリガー式液体噴出器。
【請求項４】
前記アームは、カバー本体との連結部位が、操作レバーの前面壁に平行な幅広板状部材と、この幅広板状部材の一端にて操作レバーの側面壁に沿う向きに立ち上がる幅狭板状部材とを組み合わせた略Ｌ字状断面を有する、請求項１〜３の何れかに記載のトリガー式液体噴出器。
【請求項５】
前記アームは、少なくともカバー本体との連結部位が、可橈性を有する素材からなる請求項１〜４の何れかに記載のトリガー式液体噴出器。
【発明の詳細な説明】
【技術分野】
【０００１】
本発明は、トリガー式液体噴出器に関するものであり、ノズルカバーのアームに過大な力が作用してもその力の伝達を最小限にくい留めてそれによる悪影響を確実に回避しようとするものである。
【背景技術】
【０００２】
操作レバーを牽曳して内容物を噴出させるトリガー式の噴出器は、該操作レバーの不用意な操作でもって内容物が排出されることがないよう噴出器のボディに対して噴射ノズルを回動自在に設け、該噴射ノズルを適宜所定の位置まで回動させることでノズルの開閉を行う構造のものが知られている。
【０００３】
また、この種の噴出器は、噴射ノズルを閉状態にしていても、操作レバーが誤って牽曳された場合に、シリンダー内の圧力が上昇し、噴射ノズルを回動させて開状態にしたとき、少量ではあるが該圧力によって内容物が吹き出すことも懸念されており、このような問題に対処したものとして、噴射ノズルの開閉状態を目視でもって簡単に確認でき、かつ、ノズルの閉状態で操作レバーの前面に位置して該レバーの牽曳を防止するアーム付きのノズルカバーを備えたトリガー式の液体噴出器も知られている（例えば特許文献１参照）。
【特許文献１】特開２０００−７０７８０号公報
【発明の開示】
【発明が解決しようとする課題】
【０００４】
ところで、ノズルカバー付きの噴出器は、噴射ノズルを単に回動させてノズルの開閉を行う噴出器に比較して優れた利点を有する反面、アームに対して意に反するような過大な力が作用した場合、その力が噴射ノズルの取り付け部に伝達され、その結果として噴射ノズルの浮き上がりや脱落等の不具合を招く可能性が存在していた。
【０００５】
本発明の課題は、アーム付きのノズルカバーを有する従来のトリガー式液体噴出器において懸念されていた上記の如き問題を解消するところにある。
【課題を解決するための手段】
【０００６】
本発明は、操作レバーを繰返し牽曳して容器内の液体を吸引、加圧するポンプを備えたボディと、このボディの先端に回動可能に保持され該ボディの送給経路を経て圧送された液体を外界へ向けて噴射する噴射ノズルと、この噴射ノズルをその軸心の周りに回動させてノズル開口を開状態又は閉状態に切り替えるとともに該ノズル開口の閉状態で操作レバーの牽曳を阻止するアームとを備えたトリガー式液体噴出器であって、
前記アームは、ノズル開口の閉状態で操作レバーの前面に位置してその牽曳を阻止するが、該操作レバーの強制的な牽曳動作を誘導する力に追随可能な可撓性に富むアームであることを特徴とするトリガー式液体噴出器である。
【０００７】
前記アームは、噴射ノズルと一体に連結するか、又は、噴射ノズルの外周面に嵌合するカバー本体に一体に連結する構造を採用することができる。
【０００８】
前記アームは、カバー本体との連結部位が、操作レバーの前面壁に平行な幅広板状部材と、この幅広板状部材の一端にて操作レバーの側面壁に沿う向きに立ち上がる幅狭板状部材とを組み合わせた略Ｌ字状断面を有するものがとくに有利に適合する。
【０００９】
また、前記アームは、少なくともカバー本体との連結部位が、可橈性を有する素材にて構成することもできる。
【発明の効果】
【００１０】
本発明に従う噴出器は、ノズルカバーのアームが操作レバーの前面に位置するノズル開口の閉状態では、操作レバーの牽曳を阻止すべくロック状態に保持することができるが、該アーム及び操作ノズルに対してとくに過大な力が加わったような場合には、その力に合わせてアームが変形するため、噴射ノズルに浮きが生じたり脱落するようなことはない。
【発明を実施するための最良の形態】
【００１１】
以下、図面を参照して本発明をより具体的に説明する。
【００１２】
図１〜７は合成樹脂からなる本発明に従うトリガー式液体噴出器の外観斜視図であり、図１は操作レバーがロックされた状態の図、図２は操作レバーのロックが解除された状態の図、図３はノズルカバーの正面図、図４、図５はノズルカバーの側面図、図６はノズルカバーの底面図、そして図７は図３のＡ−Ａ断面図である。
【００１３】
図における１は操作レバー、２は操作レバー１を繰返し牽曳して容器の液体を吸引、加圧するポンプＰを備えたボディ（シュラウドを含む）、３はボディ２の先端に回動可能に保持され該ボディ２の送給経路を経て圧送された液体を外界へ向けて噴射する噴射ノズル、４はノズルカバーである。ノズルカバー４は噴射ノズル３の外周面に嵌合するカバー本体４ａとこのカバー本体４ａに一体連結してノズル開口（液体が噴射される孔）の閉状態で操作レバー１の前面に位置してその牽曳を阻止するアーム４ｂからなり、アーム４ｂを把持して噴射ノズル３をその軸心Ｌの周りに回動させることでノズル開口を開状態又は閉状態に切り替えることができるようになっている。
【００１４】
ノズルカバー４のアーム４ｂは図７にＡ−Ａ断面を示す如くカバー本体４ａとの連結部位が操作レバー１の前面壁１ａに平行な幅広部材４ｂ１とこの幅広部材４ｂ１の一端にて操作レバー１の側壁面１ｂに沿う向きに立ち上がる幅狭部材４ｂ２とを組み合わせた略Ｌ字状断面を有しており、これによりアーム４ｂが操作レバー１の前面に位置した状態で該操作レバー１に対して強制的な牽曳動作を誘導するような力Ｆが作用しても図８に示すようにそれに追随して変形（可橈性に富む）することが可能となり該力が噴射ノズル３に伝達されることはなく、噴射ノズルの浮き上がりや脱落、破損等の不具合を起こすことはない。
【００１５】
アーム４ｂは、その連結部位の断面形状を略Ｌ字状断面にして可橈性をもたせるようにしたが、これは素材そのものを柔軟なもの（例えば、軟質のポリプロピレン樹脂等）を用いて構成してもよく、この点については限定されない。
【００１６】
とくに、アーム４については、アーム４ｂの連結部位に断面形状を工夫して可橈性をもたせる場合、前掲の略Ｌ字状断面のみならず、例えば幅狭部材４ｂ２を削除して幅広部材４ｂ１のみの構成とするなど、形状を適宜に工夫することが可能であるが、噴射ノズル４を回動させる向きの剛性が低下することが懸念されるので、噴射ノズル３を回動できる程度の剛性が確保できる形状を適宜に選択することが肝要になる。
【００１７】
また、アーム４ｂについては、前掲の如くノズルカバー４ｂに一体連結することができるが、ノズルカバー４を用いない構成においては噴射ノズル３に直接一体連結してもよい。
【００１８】
ノズルカバー４は本来、噴射ノズル３を開状態あるいは閉状態に簡便に切り替える機能と、操作レバー１を牽曳不能に保持するロック機能を有するものであって、アーム４ｂに可橈性をもたせた場合に、操作レバー１をロックするという観点からは、その機能が若干低下する傾向にある。このため、本発明に従う噴出器においては、噴射ノズル４の回動に連動して操作レバー１のロックとその解除を行うロック機構を別途設けるようにしてもよい。
【業上の利用可能性】
【００１９】
ノズルカバーのアームに過大な力が加わってもその力に追随するように変形することができるので噴射ノズルが浮き上がったり脱落するような不具合がなく、液体噴出器の初期性能を長期にわたって維持できる。
【図面の簡単な説明】
【００２０】
【図１】本発明に従うトリガー式液体噴出器の外観斜視図（ロックされた状態）である。
【図２】図１に示したトリガー式液体噴出器においてロックが解除された状態の外観斜視図である。
【図３】ノズルカバーの正面図である。
【図４】ノズルカバーの左側面図である。
【図５】ノズルカバーの右側面図である。
【図６】ノズルカバーの底面図である。
【図７】図３のＡ−Ａ断面図である。
【図８】ノズルカバーの変形状況を示した図である。
【符号の説明】
【００２１】
１  操作レバー
１ａ  前面壁
１ｂ  側面壁
２  ボディ
３  噴射ノズル
４  ノズルカバー
４ａ  カバー本体
４ｂ  アーム
４ｂ１  幅広部材
４ｂ２  幅狭部材
Ｐ  ポンプ
Ｌ  軸心
【図１】
2005087859.tif 000003
【図２】
2005087859.tif 000004
【図３】
2005087859.tif 000005
【図４】
2005087859.tif 000006
【図５】
2005087859.tif 000007
【図６】
2005087859.tif 000008
【図７】
2005087859.tif 000009
【図８】
2005087859.tif 000010